(57)【要約】      （修正有）【課題】携帯端末などのポータブルデバイスの充電器に充電状態を表示させる。【解決手段】ケーブル1、第一コネクタープラグ11、指示ユニット12からなり、該第一コネクタープラグは、本体部１１１及び充電される機器に対する接続部１１２を具え、該本体部は、回路板を内臓して該ケーブルと電気的に接続され、充電中及び充電完了時の電流／電圧変化を検出する検知回路を具えて、上記指示ユニットに信号を送信し、該指示ユニットは、上記本体に設置されて、充電中及び充電完了の表示をそれぞれ指示するインジケーター１２２を具え、上記検知回路からの信号により、充電中及び充電完了の表示を行う。【選択図】図１
0003171142.tif 000002
【実用新案登録請求の範囲】
【請求項１】
ケーブル、第一コネクタープラグ、指示ユニットからなり、
該ケーブルは、電源と該第一コネクタープラグを接続する導線を有し、
該第一コネクタープラグは、本体部及び充電される機器に対する接続部を具え、
該本体部は、回路板を内臓して該ケーブルと電気的に接続され、充電中及び充電完了時の電流／電圧変化を検出する検知回路を具えて、上記指示ユニットに信号を送信し、
該指示ユニットは、上記本体に設置されて、充電中及び充電完了の表示をそれぞれ指示するインジケーターを具え、上記検知回路からの信号により、充電中及び充電完了の表示を行うことを特徴とする指示機能を備える充電用ケーブル構造。
【請求項２】
前記第一コネクタープラグは、（公序良俗違反につき、不掲載）であることを特徴とする請求項１に記載の指示機能を備える充電用ケーブル構造。
【請求項３】
前記第一コネクタープラグは、標準、mini或いはmicro規格のUSBコネクターであることを特徴とする請求項１に記載の指示機能を備える充電用ケーブル構造。
【請求項４】
前記インジケーターは、点灯式インジケーター或いは液晶ディスプレーであることを特徴とする請求項１に記載の指示機能を備える充電用ケーブル構造。
【請求項５】
前記ケーブルの電源側は、パワーアダプターに接続したことを特徴とする請求項１に記載の指示機能を備えるケーブル構造。
【請求項６】
前記ケーブルの電源側は、さらに、パワーアダプターに接続する第二コネクタープラグに接続したことを特徴とする請求項１に記載の指示機能を備える充電用ケーブル構造。
【請求項７】
前記第二コネクタープラグは、標準、mini或いはmicro規格のUSBコネクターで、
これにより、コンピューター或いはパワーアダプターのコネクタースロットに接続したことを特徴とする請求項６に記載の指示機能を備える充電用ケーブル構造。
【考案の詳細な説明】
【技術分野】
【０００１】
本考案は充電器用ケーブル構造に関し、特に指示機能を備えるケーブル構造に関する。
【背景技術】
【０００２】
テクノロジーの進歩に従い、3C電子製品は、日増しにコンパクトかつ軽量化に向かっている他、タッチ操作の方式へと発展している。
これにより、タブレットコンピューター、スマートフォン、或いはポータブル映像・音楽プレーヤーなどのポータブルデバイスを始めとする3C電子製品は、日常生活にはなくてはならない物品となっている。
タブレットコンピューター、携帯端末などのポータブル映像・音楽プレーヤーを例とすると、該タブレットコンピューター、該スマートフォン、該ポータブル映像・音楽プレーヤーはみな、それぞれの充電器と伝送ケーブルを備え、充電とデータ伝送を行うことができる。
【０００３】
上記したタッチ操作式ポータブルデバイスの充電回路はみな、装置本体内部の印刷回路板上に設置されている。
そのため、使用者が、ポータブルデバイスのコネクタースロットに、充電器のコネクタープラグを差し込むだけで、電源はケーブルを通り、ポータブルデバイス内部の充電電池に対して充電が行われる。
充電操作が完了したか否かは、スクリーンに触れ、或いはプッシュボタンを押すなどの操作により、ポータブルデバイスのスクリーンに表示させてスクリーン上の図案が示す充電状態を確認することができる。
しかし、省エネのため、設定時間になるとスクリーンはセーバー状態に入るため、使用者は時々、上記した操作方式により、ポータブルデバイスのスクリーンを回復させなければ、充電電池がいっぱいであるかどうかを確認することができず、使用者にとっては面倒である。
【０００４】
本体に充電インジケーターを設置するポータブルデバイスもあるが、使用者は、高価なポータブルデバイスを保護するため、ポータブルデバイスに保護カバーを被せていることが多く、これが充電インジケーターを遮蔽してしまい、充電状態の直接確認を不可能としている。
【０００５】
さらに、市販品としては、充電インジケーターを設置するパワーアダプター(power adapter)も見られるが、パワーアダプターは、壁或いは延長コードのソケットに差し込む必要があり、つまりパワーアダプターは、パワーサプライ端に接続するのであって、ポータブルデバイス端に接続するのではない。
そのため、ソケットなどの前に置かれた机などの遮蔽物に遮蔽される可能性があり、直接確認できない恐れがある。
しかも、確認するのは、充電しているポータブルデバイスではなく、パワーアダプターであるため、直接当該デバイスで確認するという習慣に合わず、よってその指示機能を十分に発揮することはできない。
【０００６】
すなわち、従来のパワーアダプターのケーブルは、ポータブルデバイス端のコネクタープラグに接続し、また指示機能もないため、使用者は繰り返しポータブルデバイスのスクリーンを回復させ、スクリーンが表示する充電指示図案を確認しなければならない。
よって、非常に不便である。
本考案は、従来のケーブル構造の上記した欠点に鑑みてなされたものである。
【先行技術文献】
【特許文献】
【０００７】
【特許文献１】特開２０００−３１６２３５号公報
【考案の概要】
【考案が解決しようとする課題】
【０００８】
本考案が解決しようとする課題は、ポータブルデバイス端と接続する第一コネクターの適当な位置に、指示ユニットを増設し、これにより使用者はポータブルデバイスのスクリーンを回復させなくとも、指示ユニットの表示を通して、ポータブルデバイスの充電状況を直接確認することができる指示機能を備えるケーブル構造を提供することである。
【課題を解決するための手段】
【０００９】
上記課題を解決するため、本考案は下記の指示機能を備えるケーブル構造を提供する。
指示機能を備えるケーブル構造は、ケーブル、第一コネクタープラグ、指示ユニットからなり、
該ケーブルは、内部に複数の導線を設置し、
該第一コネクタープラグは、本体部及び接続部を備え、該ケーブル一端に接続し、
該指示ユニットは、該本体部内に固定して設置し、該指示ユニットには、回路板に接続し、該本体部において指示機能を備える少なくとも１個のインジケーターを設置し、
該回路板は、配線により、該ケーブルと該第一コネクタープラグとの間の電源配線に接続し、該回路板の検知回路の比較を通して、該インジケーターは、充電中及び充電完了の表示をそれぞれ指示する。
【考案の効果】
【００１０】
本考案指示機能を備えるケーブル構造の実施により、ケーブル構造の第一コネクタープラグに指示ユニットを増設することで、指示ユニットはポータブルデバイス端に近くなり、使用者はポータブルデバイスのスクリーンを回復させなくとも、指示ユニットを通して、ポータブルデバイスの充電状況を明確に直接確認することができる。
【図面の簡単な説明】
【００１１】
【図１】本考案指示機能を備えるケーブル構造第一実施例の斜視図である。
【図２】本考案第一コネクターの局部拡大模式図である。
【図３】本考案第一コネクターの別種の実施例の局部拡大模式図である。
【図４】本考案指示機能を備えるケーブル構造第二実施例の立体分解図である。
【考案を実施するための形態】
【００１２】
図１は、本考案指示機能を備えるケーブル構造第一実施例の斜視図で、図２は、本考案第一コネクターの局部拡大模式図で、図３は、本考案第一コネクターの別種の実施例の局部拡大模式図で、図４は、本考案指示機能を備えるケーブル構造第二実施例の立体分解図である。
以下に図面を参照しながら本考案を実施するための最良の形態について詳細に説明する。
【実施例】
【００１３】
図１、２に示すように、本考案の表示機能を備えるケーブル構造は、複数の導線を内部に設置するケーブル1を備え、その一端は、第一コネクタープラグ11に接続し、該第一コネクタープラグ11は、本体部111及び接続部112を備える。
【００１４】該接続部112のインターフェースは、米国アップル社(Apple Inc.)が生産するタブレットコンピューター、スマートフォン、ポータブル映像・音楽プレーヤーポータブルデバイスなどの系列製品が採用する（公序良俗違反につき、不掲載）に適合する。【００１５】
該ケーブル1の反対端は、壁に設置されるソケットなどに接続する、パワーアダプター2に接続し、交流電源を直流電源に転換後、該第一コネクタープラグ11により、該ポータブルデバイスに供給し、該ポータブルデバイスに対して充電を行うが、これは従来の充電器のポータブルデバイスに対する充電方式であるため、ここでは詳説しない。
【００１６】
図２に示すように、該第一コネクター11は、本体部111頂点面などの適当な位置に、さらに指示ユニット12を備える。
【００１７】
該指示ユニット12は、インサートモールディングの方式により、該本体部111内に固定して設置し、該指示ユニット12は、回路板121に接続し、該本体部111に位置する、指示機能を備える、少なくとも１個のインジケーター122を備える。
【００１８】
図に示すように、該インジケーター122は、該本体部111頂点面に露出するが、これに限定するものではなく、該インジケーター122は、該本体部111内に内蔵することもでき、この場合には、目視による確認を妨げないよう、該本体部111に、該インジケーター122の位置に対応したウィンドウを開設する。
【００１９】
該回路板121は、配線により、該ケーブル1と該第一コネクタープラグ11との間の電源配線に接続し、該回路板121の検知回路123を通して、電圧或いは電流に対する比較を行う。
【００２０】
これにより、指示ランプなどの該インジケーター122は、明/暗、２種の違った点滅サイクル、或いは２種の異なる色等の点灯方式により、充電中及び充電完了をそれぞれ表示する。
【００２１】
図２に示すように、該インジケーター122は、指示ランプで、１個だけ設置する。
【００２２】
該ケーブル1を通る電源が、該回路板121の検知回路123より、該インジケーター122に通ると、該インジケーター122は赤色を表示し、これは該ケーブル1が、該第一コネクタープラグ11の接続部112を通して、ポータブルデバイス内の充電電池に対して、充電中であることを示している。
【００２３】
該インジケーター122が、緑色を表示したなら、ポータブルデバイス内の充電電池の電力量が既に飽和していることを示す。
【００２４】
これは、該回路板121の検知回路123は、該接続部112への電力供給を既に切断したが、該インジケーター122に緑色を表示させていることを示しており、この時、使用者は、ポータブルデバイスから第一コネクタープラグ11を抜き、使用することができる。
【００２５】
この他、該インジケーター122は、前記の指示ランプに限定するものではなく、実際の実施時には、液晶ディスプレー(LCD)を採用しても、指示ランプと同等の効果を達成することができる。
【００２６】さらに、該第一コネクタープラグ11の実施時には、前記の（公序良俗違反につき、不掲載）に限定するものではなく、図３に示す第一コネクタープラグ11の別種の実施方式のように、標準、mini或いはmicro規格のUSBコネクタープラグとすることができる。【００２７】
本考案ケーブル構造第二実施例の立体分解図である図４に示すように、該ケーブル1一端は、第一コネクタープラグ11で、反対端は、第二コネクタープラグ13である。
【００２８】上記したように、該第一コネクタープラグ11は実施時に、好ましくは、（公序良俗違反につき、不掲載）或いはUSBコネクターで、該第二コネクタープラグ13は好ましくは、USBコネクターである。【００２９】
該第二コネクタープラグ13は、コンピューターのUSBスロットに直接挿入して接続し、これによりポータブルデバイスに対して、充電或いは同時処理などのデータ伝送を行う。
【００３０】
また、該第二コネクタープラグ13は、パワーアダプター2に予め設置するコネクタースロット21に直接挿入して接続し、これによりポータブルデバイスに対して充電を行う。
【００３１】
本考案ケーブル構造とコンピューターがデータ伝送を行う時、該回路板121の検知回路123は、電流の通過或いは電圧の変化により、該インジケーター122にデータ伝送中或いは伝送完了をそれぞれ表示させる。
【００３２】
よって、本考案ケーブル1は、第一コネクタープラグ11に、指示ユニット12を増設することで、使用者はポータブルデバイスのスクリーンを回復させなくとも、ポータブルデバイスの充電状況を一目了然に確認することができ、ポータブルデバイス充電時の利便性を高めることができる。
【００３３】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３４】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３５】
1  ケーブル
11  第一コネクタープラグ
111  本体部
112  接続部
12  指示ユニット
121  回路板
122  インジケーター
123  検知回路
13  第二コネクタープラグ
2  パワーアダプター
21  コネクタースロット
【図１】
0003171142.tif 000003
【図２】
0003171142.tif 000004
【図３】
0003171142.tif 000005
【図４】
0003171142.tif 000006
【手続補正書】
【提出日】平成23年6月13日(2011.6.13)
【手続補正１】
【補正対象書類名】実用新案登録請求の範囲
【補正対象項目名】請求項２
【補正方法】変更
【補正の内容】
【請求項２】
前記第一コネクタープラグは、（公序良俗違反につき、不掲載）であることを特徴とする請求項１に記載の指示機能を備える充電用ケーブル構造。
【手続補正２】
【補正対象書類名】明細書
【補正対象項目名】００１４
【補正方法】変更
【補正の内容】
【００１４】該接続部112のインターフェースは、米国アップル社(Apple Inc.)が生産するタブレットコンピューター、携帯端末類、ポータブル映像・音楽プレーヤーポータブルデバイスなどの系列製品が採用する、（公序良俗違反につき、不掲載）である。
【手続補正書】
【提出日】平成23年7月28日(2011.7.28)
【手続補正１】
【補正対象書類名】実用新案登録請求の範囲
【補正対象項目名】請求項２
【補正方法】変更
【補正の内容】
【請求項２】
前記第一コネクタープラグは、コネクターであることを特徴とする請求項１に記載の指示機能を備える充電用ケーブル構造。
【手続補正２】
【補正対象書類名】明細書
【補正対象項目名】００１４
【補正方法】変更
【補正の内容】
【００１４】
該接続部112のインターフェースは、米国アップル社(Apple Inc.)が生産するタブレットコンピューター、携帯端末類、ポータブル映像・音楽プレーヤーポータブルデバイスなどの系列製品が採用する、コネクターである。
【手続補正３】
【補正対象書類名】明細書
【補正対象項目名】００２６
【補正方法】変更
【補正の内容】
【００２６】
さらに、該第一コネクタープラグ11の実施時には、前記のコネクターに限定するものではなく、図３に示す第一コネクタープラグ11の別種の実施方式のように、標準、mini或いはmicro規格のUSBコネクタープラグとすることができる。
【手続補正４】
【補正対象書類名】明細書
【補正対象項目名】００２８
【補正方法】変更
【補正の内容】
【００２８】
上記したように、該第一コネクタープラグ11は実施時に、好ましくは、コネクター或いはUSBコネクターで、該第二コネクタープラグ13は好ましくは、USBコネクターである。